(57)【要約】【課題】ＢＤ多層ディスクにおいて、ある目的層から別の目的層に移動して光スポットを情報記録面に合焦点状態に持って行く際、従来よりも短時間で合焦点状態にし、情報記録面の光スポットの品質を良好に保つことが可能な光ピックアップを提供する。【解決手段】ＢＤレーザ光源１０１の出射光軸１０７に沿って第１のレンズ１０４、第２のレンズ１０５の２枚のレンズからなる球面収差補正光学系１０６を設ける。第１のレンズ１０４を、焦点距離ｆｃのコリメートレンズとし、光軸１０７方向に移動可能とする。また、第２のレンズ１０５を、電気的手段１０９より電圧を印加し焦点距離が可変な可変焦点レンズとし光軸１０７の方向に固定する。【選択図】図１
2010211842.tif 000002
【特許請求の範囲】
【請求項１】
光ピックアップであって、
レーザ光源と、
球面収差補正光学系と、
前記レーザ光源から出射した光ビームを複数の情報記録層を持つ多層情報記録媒体の各情報記録面に対して集光可能な対物レンズと、
記録または再生の目的となる情報記録層に前記光ビームを合焦する際に、共に発散光あるいは収束光を発生させて球面収差補正を可能とする２つのレンズを有する球面収差補正光学系とを備えた光ピックアップ。
【請求項２】
請求項１に記載の光ピックアップにおいて、前記球面収差補正光学系は、前記目的となる情報記録層から別の情報記録層に移動し、前記別の情報記録層に光ビームを合焦させる際、前記２つのレンズの一方のレンズから出射される発散光あるいは収束光の角度を変化させて球面収差補正の粗調整を行い、他方のレンズから出射される発散光あるいは収束光の角度を変化させて球面収差補正の微調整を行う光ピックアップ。
【請求項３】
請求項１に記載の光ピックアップにおいて、前記球面収差補正光学系は、前記目的層の情報記録面に対して合焦状態を保つ際、前記２つのレンズの一方のレンズから出射される発散光あるいは収束光の角度を固定し、他方のレンズから出射される発散光あるいは収束光の角度を変化させて球面収差補正の微調整を行う機能を有する光ピックアップ。
【請求項４】
請求項１から３のいずれかに記載の光ピックアップにおいて、前記球面収差補正光学系は、前記一方のレンズから出射される発散光あるいは収束光の角度を、前記他方のレンズから出射される発散光あるいは収束光の角度より大きく設定することが可能な光ピックアップ。
【請求項５】
請求項１から３のいずれかに記載の光ピックアップにおいて、前記一方のレンズを電気的手段により焦点距離が可変な可変焦点レンズとし、前記他方のレンズを焦点距離が固定のコリメートレンズとした光ピックアップ。
【請求項６】
請求項５に記載の光ピックアップにおいて、前記２つのレンズは、前記レーザ光源から出射した光ビームの光軸方向に沿って配置され、前記一方のレンズを前記光軸方向に固定し、前記他方のレンズを前記光軸方向に可動とした光ピックアップ。
【請求項７】
請求項１から３のいずれかに記載の光ピックアップにおいて、前記２つのレンズは、前記レーザ光源から出射した光ビームの光軸方向に沿って配置され、前記光軸方向に一体に可動可能な光ピックアップ。
【請求項８】
請求項１に記載の光ピックアップにおいて、前記対物レンズは、開口数が約０.８５のガラス製あるいは樹脂製の単レンズで形成されている光ピックアップ。
【請求項９】
請求項１に記載の光ピックアップにおいて、前記レーザ光源は、波長４０５ｎｍ帯の青紫色レーザ光を出射する光ピックアップ。
【請求項１０】
請求項１から９のいずれかに記載の光ピックアップと、少なくとも前記２つのレンズを駆動、制御する電気回路を備えた光学的情報再生装置。
【請求項１１】
請求項１から９のいずれかに記載の光ピックアップと、少なくとも前記２つのレンズを駆動、制御する電気回路を備えた光学的情報記録再生装置。
【発明の詳細な説明】
【技術分野】
【０００１】
本発明は光学的情報記録媒体に情報信号を記録または再生する機能を持つ光ピックアップに係わる。
【背景技術】
【０００２】
ＤＶＤに続く大容量光ディスクとして、現在青紫色レーザを使い単層で２３〜２７ＧＢ、２層で約５０ＧＢの容量を持つＢＤ（Blu-ray Disc）とその記録再生装置が商品化されている。このＢＤ２層ディスクでは２つの情報記録面に約２５μｍのカバー層厚さの差があり、使用する対物レンズの開口数（ＮＡ）が約０.８５とＤＶＤに比べて高い。そのため、記録再生装置にはそれぞれの情報記録面に対して光ビームの焦点を合わせるための球面収差補正手段を設けることが必須となっている。
【０００３】
この球面収差補正手段の例は特許文献１に開示され、「光源と対物レンズの間にコリメートレンズユニットを備え、カバー層の厚さが基準値からずれ球面収差が発生した時はコリメートレンズを前後に動かし、生じた球面収差を打ち消す。」と記載されている。
【０００４】
一方、３面以上、例えば４面の情報記録面を持つＢＤ多層ディスクの技術開発が進められている（非特許文献１）。
【先行技術文献】
【特許文献】
【０００５】
【特許文献１】特開２００４−１０３０８７号公報
【非特許文献】
【０００６】
【非特許文献１】OPTRONICS(2007)NO.6、ｐ126〜ｐ127
【発明の概要】
【発明が解決しようとする課題】
【０００７】
ところが、３層以上の情報記録層を持つＢＤ多層ディスクでは当然、現在のＢＤ２層ディスクに比べると、光入射側の表面から見て最も近い情報記録面と最も遠い情報記録面のカバー層厚さの差が大きくなる。言い換えると、ＢＤ２層ディスクに比べて、記録再生する目的層に光ビームの焦点を合わせるために打ち消すべき球面収差量がより大きくなる。ＢＤ２層ディスクにおいて、前記目的層の情報記録面に対して光ビームの焦点を合わせる場合、あるいは前記目的層から前記目的層に隣接する隣接層に光ビームを移動し、その情報記録面に対して光ビームの焦点を合わせる場合、上記特許文献１記載のようにコリメートレンズを前後に動かすという手段により球面収差補正が十分に行われる。
【０００８】
ところが、ＢＤ多層ディスクにおいて、前記目的層から前記の隣接層よりもさらに離れた層に対して光ビームを移動し、その情報記録面に対して光ビームの焦点を合わせる場合、前記ＢＤ２層ディスクの場合に比べ前記コリメートレンズを前後に動かす量が増加することになる。そのため、以下（1）〜（3）に記載の問題が発生し、短時間で十分な球面収差補正を行い、各情報記録面で合焦点状態における光スポットの品質、ひいてはサーボ信号、情報再生信号を良好に保つことが難しくなるという懸念がある。  
（１）  球面収差補正を行うために時間を要する。
（２）  コリメートレンズを前後に動かす機構部の精度には限界があるので、コリメートレンズの光軸ずれ、光軸傾きが大きくなる。
（３）  （２）の機構部の駆動部で発生する消費電力すなわち発熱量が増加し、ひいては光学素子の特性を劣化させる。
【０００９】
本発明は以上の点を鑑み、ＢＤ多層ディスクのある目的層から別の目的層に移動して光スポットを情報記録面に合焦点状態に持って行く際、従来よりも短時間で合焦点状態にし、情報記録面の光スポットの品質を良好に保つことが可能な光ピックアップを提供することを目的とする。
【課題を解決するための手段】
【００１０】
上記記載の目的は、その一例として本発明の特許請求の範囲に記載の構成、手段により実現可能となる。
【発明の効果】
【００１１】
本発明によれば、ＢＤ多層ディスクのある目的層から別の目的層に移動して光スポットを情報記録面に合焦点状態に持って行く際、従来よりも短時間で合焦点状態にし、情報記録面の光スポットの品質を良好に保つことが可能な光ピックアップを提供することが可能となる。
【図面の簡単な説明】
【００１２】
【図１】実施例１において、ＢＤ用光ピックアップを示す図。
【図２】実施例１において、ＢＤ多層ディスクに光スポットが照射され、合焦点状態にある状態を示す図。
【図３】実施例１において、第２のレンズ１０５の作用について説明する図。
【図４】実施例１において、第１のレンズ１０４の作用について説明する図。
【図５】実施例１において、第１のレンズ１０４、第２のレンズ１０５の作用を組合せ、球面収差を補正する作用を説明する図。
【図６】実施例１において、第１のレンズ１０４、第２のレンズ１０５の作用を組合せ、球面収差を補正する作用を説明する図。
【図７】実施例２において、ＢＤ用光ピックアップを示す図。
【図８】実施例３において、ＢＤ用光ピックアップを示す図。
【図９】実施例４において、本発明に従う光ピックアップを搭載した光学的情報記録再生装置を示す図。
【発明を実施するための形態】
【００１３】
本発明に従う光ピックアップの実施例について以下、図面を用いて説明する。
【実施例１】
【００１４】
図１は、３面以上の（図示しない）情報記録面を持つＢＤ多層ディスク１１２と本実施例のＢＤ用光ピックアップを示す。ＢＤレーザ光源１０１から波長４０５ｎｍ帯の直線偏光の発散ビーム光が出射され、偏光ビームスプリッタ１０２、光ビーム多分割素子１０３、第１のレンズ１０４、第２のレンズ１０５を経て略平行な光ビームに変換される。上記第１のレンズ１０４は、焦点距離がｆｃに固定されたコリメートレンズであり、例えば（図示しない）ステッピングモータ、圧電素子等を用い、矢印１０８に示す光軸１０７の方向に移動可能である。また、上記第１のレンズ１０８の初期位置等の位置を検出する（図示しない）位置検出センサが設けられている。上記第２のレンズ１０５は、電気的手段１０９より電圧を印加することにより焦点距離が＋、−、∞の値に可変な可変焦点レンズであり、光軸１０７の方向に固定されている。例えば、この可変焦点レンズとして液晶レンズを用いることが可能である。なお、液晶レンズに限らず電気的手段により焦点距離が＋、−、∞の値に可変であればどのような形態でも構わない。
【００１５】
上記光ビーム多分割素子１０３は（図示しない）偏光性格子と１／４波長板を貼合わせて一体化した素子であり、上記（図示しない）偏光性格子は所定方向の直線偏光の光ビームを回折させ、上記所定方向と直交する方向の直線偏光の光ビームを透過させる、すなわち、紙面左方から右方へ通過する光ビームを透過させ、紙面右方から左方へ通過する光ビームを回折させる。上記偏光ビームスプリッタ１０２から出射した光ビームは、上記光ビーム多分割素子１０７の上記（図示しない）偏光性格子を回折することなく透過し、上記（図示しない）１／４波長板によって円偏光に変換される。上記第１のレンズ１０４、第２のレンズ１０５から出射した光ビームはＢＤ立上げミラー１１０により垂直に光路を曲げられた後にＢＤ対物レンズ１１１で集光され、ＢＤ多層ディスク１１２の目的とする（図示しない）情報記録面に照射される。なお、上記ＢＤ対物レンズ１１１はガラスあるいは樹脂で形成された単レンズからなる。
【００１６】
上記（図示しない）情報記録面で反射した光ビームは、上記ＢＤ対物レンズ１１１、上記ＢＤ立上げミラー１１０、第２のレンズ１０５、第１のレンズ１０４を経て上記光ビーム多分割素子１０３に入射する。この入射光ビームは上記（図示しない）１／４波長板により円偏光から往路（ＢＤレーザ光源１０１からＢＤ対物レンズ１１１に至る光路）と直交する方向の直線偏光に変換され、上記（図示しない）偏光性格子により複数の光ビームに分割される。これら複数の光ビームは、上記偏光ビームスプリッタ１０２を経てＢＤ光検出器１１３の（図示しない）受光面に到達する。本実施例ではサーボ信号の検出方式として、フォーカス誤差信号（以下、ＦＥＳと呼ぶ）にナイフエッジ法、トラッキング誤差信号（以下、ＴＥＳと呼ぶ）にプッシュプル（以下、ＰＰと呼ぶ）方式を使用してＢＤ多層ディスク１１２に照射された集光スポットの位置を制御する。なお、上記ナイフエッジ法や上記ＰＰ方式は公知技術のためここでは説明を省略する。
【００１７】
ＢＤ光学系では上記情報記録面における集光スポットを小さくするため、ＤＶＤに比べ高い開口数０．８５の上記ＢＤ対物レンズ１１１を使用する。ところが、上記（図示しない）情報記録面でのカバー層厚さ誤差、あるいは各情報記録面間のカバー層厚さの差により球面収差が発生する。一般的にこの球面収差は、対物レンズの開口数の４乗に比例して増加するため、ＢＤ用光ピックアップでは上記球面収差の補正手段を設けることが必須となる。本実施例ではＢＤ多層ディスクに対応するため、第１のレンズ１０４、第２のレンズ１０５の２枚のレンズから球面収差補正光学系１０６を構成する。第１のレンズ１０８は光軸方向に短い距離ではあるが細かく移動可能、第２のレンズ１０５はその焦点距離の可変値の刻みが粗いものの焦点距離を広い範囲で変えることが可能、すなわち第１のレンズ１０４により球面収差補正の微調整、第２のレンズ１０５により球面収差補正の租調整を行うことが可能となっている。このような球面収差補正光学系１０６により、上記ＢＤ対物レンズ１１１に入射する光ビームを平行光から発散光または収束光に変換し、発生した球面収差を打消すように補正を行う。また、ＢＤレーザ光源１０１と偏光ビームスプリッタ１０２の間に（図示しない）３スポット形成用の回折格子を設け、光ビーム多分割素子１０３を１／４波長板に変更し、偏光ビームスプリッタ１０２とＢＤ光検出器１１３の間に（図示しない）シリンドリカルレンズを設け、ＢＤ用光ピックアップを構成しても良い。この場合、サーボ信号の検出方式として、フォーカス誤差信号に非点収差法、トラッキング誤差信号に差動プッシュプル（ＤＰＰ）方式を使用し、上記ＢＤ多層ディスク１１２に照射された集光スポットの位置を制御する。
【００１８】
図２はＢＤ多層ディスク１１２に、上記ＢＤ対物レンズ１１１で集光された光スポット２０１が照射され、合焦点状態にある状態を示す。２０２はある目的層の情報記録面を、２０３、２０４、２０５、２０６は別の目的層の情報記録面を示している。今、ある目的層の情報記録面２０２に光スポット２０１の焦点が合っているとする。ＢＤ多層ディスク１１２では、この状態から別の目的層の情報記録面に光スポット２０１の焦点を移動させる場合、
（１）矢印２０７、矢印２０８、矢印２０９、矢印２１０に示すように、ある目的層の情報記録面２０２から隣接する層に向かって順に連続的に移動させるモード
（２）矢印２１１、矢印２１２、矢印２１３に示すように、ある目的層の情報記録面２０２から隣接する層をまたいで一度に移動させるモード
が考えられる。そのため、多層ＢＤ用光ピックアップではこの２つのモードに対応可能とする必要がある。
【００１９】
なお、補正すべき球面収差量は、ある目的層の情報記録面２０２から離れるに従って大きくなる。特に上記（２）のモードの場合、上記モード（１）の場合に比べると、一回で大きな球面収差を補正する必要があり、さらに最終的に合焦点状態に持っていくため微少な球面収差も同時に補正することが必要となる。
【００２０】
図３から図５を用いて、本実施例の光ピックアップの球面収差補正光学系１０６、すなわち、第１のレンズ１０４、第２のレンズ１０５の作用について詳しく説明する。
【００２１】
初めに、図３を用いて第２のレンズ１０５の作用について説明する。図３（a）は、ＢＤレーザ光源１０１から出射された発散光が第１のレンズ１０４（焦点距離がｆｃに固定されたコリメートレンズ）に入射し、この平行光３０１が第２のレンズ１０５（可変焦点レンズ）から出射する状態を示す。電気的手段１０９より電圧を印加、制御して焦点距離を−の値に変化させると、凹レンズとして作用し発散光３０２が出射される。焦点距離を＋の値に変化させると、凸レンズとして作用し収束光３０３が出射される。ここで、図３（ｂ）に示すように上記発散光３０２の角度をθ１、図３（ｃ）に示すように上記収束光３０３の角度をθ２とする。なお、焦点距離を∞に制御すると、レンズ作用は無くなり、（図示しない）平行光が出射される。
【００２２】
次に、図４を用いて第１のレンズ１０４の作用について説明する。図４（a）は、ＢＤレーザ光源１０１から出射された発散光が第１のレンズ１０４（焦点距離がｆｃに固定されたコリメートレンズ）に入射し、この第１のレンズ１０４が基準位置（平行光が出射される位置）から矢印１０８に示すように光軸１０７方向に移動させると、第１のレンズ１０４から発散光４０１あるいは収束光４０２が出射する。第２のレンズ１０５にレンズ作用をさせないように制御すると、第２のレンズ１０５からそのまま上記発散光４０１あるいは収束光４０２が出射する。ここで、図３（ｂ）に示すように、第１のレンズ１０４を矢印４０５の方向に移動させると、発散光４０１が出射され、この発散光４０１の角度をθ３とする。図３（ｃ）に示すように、第１のレンズ１０４を矢印４０６の方向に移動させると、収束光４０２が出射され、この収束光４０２の角度をθ４とする。
【００２３】
上記発散光角度についてはθ１＞θ３の関係に、上記収束光角度についてはθ２＞θ４の関係になるよう設定されている。一般的に、ＢＤ対物レンズ１１１に上記発散光あるいは収束光を入射させると球面収差補正が可能であり、入射させる発散光あるいは収束光角度を大きくするほど補正可能な球面収差量が増加する。従って、上記発散光あるいは収束光角度の関係式（発散光角度：θ１＞θ３、収束光角度：θ２＞θ４）より、第１のレンズ１０４を用いて、第２のレンズ１０５に比べて大きな球面収差を補正することができる。さらに、第２のレンズ１０５を用いて微少な球面収差を補正することができる。
【００２４】
これまでは説明をわかりやすくするため、図３、図４を用い、第２のレンズ１０５、第１のレンズ１０４について各レンズ単独の作用を説明してきた。本発明では、第１のレンズ１０４、第２のレンズ１０５の作用を組合せ、球面収差を補正する。この作用について図５、図６を用いて使用する。
【００２５】
図５（a）において、電気的手段１０９から第２のレンズ１０５に電圧を印加、制御して焦点距離を−の値に変化させ、凹レンズとして作用させる。さらに、（図示しない）ステッピングモータ、圧電素子等により第１のレンズ１０４を矢印４０５の方向に微少移動させる。このとき、第１のレンズ１０４からは角度θ３の発散光４０１が出射するとともに、第２のレンズ１０５から角度（θ１＋θ３）の発散光５０１が出射し、ＢＤ対物レンズ１１１に入射する。また、図５（b）において、電気的手段１０９から第２のレンズ１０５に電圧を印加、制御して焦点距離を−の値に変化させ、凹レンズとして作用させる。さらに、（図示しない）ステッピングモータ、圧電素子等により第１のレンズ１０４を矢印４０６の方向に微少移動させる。このとき、第１のレンズ１０４からは角度θ４の収束光が出射するとともに、第２のレンズ１０５から角度（θ１−θ４）の収束光５０２が出射し、ＢＤ対物レンズ１１１に入射する。
【００２６】
図６（a）において、電気的手段１０９から第２のレンズ１０５に電圧を印加、制御して焦点距離を＋の値に変化させ、凸レンズとして作用させる。さらに、（図示しない）ステッピングモータ、圧電素子等により第１のレンズ１０４を矢印４０５の方向に微少移動させる。このとき、第１のレンズ１０４からは角度θ３の発散光４０１が出射するとともに、第２のレンズ１０５から角度（θ２−θ３）の発散光６０１が出射し、ＢＤ対物レンズ１１１に入射する。また、図６（b）において、電気的手段１０９から第２のレンズ１０５に電圧を印加、制御して焦点距離を−の値に変化させ、凸レンズとして作用させる。さらに、（図示しない）ステッピングモータ、圧電素子等により第１のレンズ１０４を矢印４０６の方向に微少移動させる。このとき、第１のレンズ１０４からは角度θ４の収束光が出射するとともに、第２のレンズ１０５から角度（θ２＋θ４）の収束光６０２が出射し、ＢＤ対物レンズ１１１に入射する。
【００２７】
以上、説明したように、本発明では２つのレンズを用いて球面収差補正の租調整と微調整を行うことが可能となる。その結果、図２で示したように、ＢＤ多層ディスク１１２のある目的層から別の目的層の情報記録面に光スポット２０１の焦点を移動させる場合、
（１）ある目的層の情報記録面２０２から隣接する層に向かって順に連続的に移動させるモード（２）ある目的層の情報記録面２０２から隣接する層をまたいで一度に移動させるモードの両方に対応でき、かつ従来よりも短時間で合焦点状態に持っていくことができる球面収差補正光学系を備えた光ピックアップを実現できるという効果が生じる。
【００２８】
さらに、第１のレンズ１０４（コリメートレンズ）の移動量が少ないので、光軸ずれ、光軸傾きを抑制することができるとともに、駆動部で発生する消費電力すなわち発熱量を抑制でき各光学素子の特性を良好に保つことができるという効果が生じる。その結果、情報記録面の光スポットの品質を良好に保つことが可能となる。
【００２９】
また、上記ＢＤ対物レンズ１１１の温度変化によって発生する球面収差は、樹脂製の方がガラス製に比べて大きく発生するという特性がある。この観点から見ても本実施例の球面収差補正光学系は有効である。コストが比較的高いガラス製のＢＤ対物レンズに代わり、コストの比較的低い樹脂製のＢＤ対物レンズを使用することができるので、光ピックアップ全体のコストダウンが可能になるという効果も生じる。
【００３０】
ここまで、ＢＤ用光ピックアップについて説明してきたが、ＢＤ用に限定されることはなく、例えばＤＶＤ／ＣＤ互換対物レンズを用いたＤＶＤ／ＣＤ光学系を加えることによりＢＤ／ＤＶＤ／ＣＤ対応の光ピックアップを実現することが可能である。また、対物レンズをＢＤ専用の単レンズとして説明してきたが、これに限定されることはなく、例えばＢＤ専用の単レンズの直下に、入射波面の位相をＤＶＤ／ＣＤの場合に変化させることで球面収差を補償する機能を持つ位相補償板を一体に設け、１個の対物レンズによりＢＤ／ＤＶＤ／ＣＤに対応した光ピックアップを実現することも可能である。その他、対物レンズを樹脂で形成し、入射面に回折溝を設けることによってＢＤ／ＤＶＤ対応の対物レンズとし、ＢＤ／ＤＶＤに対応した光ピックアップを実現することも可能である。  
【実施例２】
【００３１】
図７は、上記ＢＤ多層ディスク１１２と、上記実施例１と別のＢＤ用光ピックアップを示す。上記実施例１と異なる点は、第１のレンズ１０４と第２のレンズ１０５を共通のホルダ６０１に搭載し、一体化して球面収差補正光学系６０３とした点である。その他については実施例１と同じである。本実施例の球面収差補正光学系６０３では、上記共通のホルダ６０１が光軸１０７に沿って矢印６０２の方向に移動する。その他については上記実施例１と同じであるため、ここでは説明を省略する。第１のレンズ１０４、第２のレンズ１０５、これらを組合せた場合の作用と効果についても実施例１と同様であり、ここでは説明を省略する。
【実施例３】
【００３２】
図８は、上記ＢＤ多層ディスク１１２と、上記実施例１とはさらに別のＢＤ用光ピックアップを示す。上記実施例１と異なる点は、第１のレンズ８０１と第２のレンズ８０３を共に可変焦点レンズとし、光軸１０７に沿って固定した球面収差補正光学系８０３とした点である。その他については実施例１と同じである。
【００３３】
電気的手段８０４から第１のレンズ８０１に電圧を印加、制御して焦点距離を＋、−の値に変化させることで凸、凹レンズとして作用させる。同様に、電気的手段８０５から第２のレンズ８０２に電圧を印加、制御して焦点距離を＋、−の値に変化させることで凸、凹レンズとして作用させる。ここでは、第２のレンズ８０２単独で発生させる発散、収束光角度が第１のレンズ８０１単独で発生させる発散、収束光角度よりも大きくなるように制御する。すなわち、第１のレンズ８０１を用いて球面収差補正の微調整を行い、第２のレンズ８０２を用いて球面収差補正の租調整を行うようになっている。
【００３４】
第１のレンズ８０１の作用は上記実施例１の図４を用いて説明した内容と、第２のレンズ８０２の作用は上記実施例１の図３を用いて説明した内容と同じであるためここでは説明を省略する。また、第１のレンズ８０１、第２のレンズ８０２を組合せた場合の作用と効果についても実施例１と同様であり、ここでは説明を省略する。
【実施例４】
【００３５】
これまではＢＤ多層ディスクに対応した光ピックアップの実施例について説明してきたが、本実施例では上記光ピックアップを搭載した光学的情報記録再生装置の実施例について、図９を用いて説明する。図９は情報の記録および再生を行う情報記録再生装置９０１の概略ブロック図を示している。９０２は本発明に従う光ピックアップを示しており、この光ピックアップ９０２から検出された信号は信号処理回路内のサーボ信号生成回路９０３および情報信号再生回路９０４に送られる。サーボ信号生成回路９０３では、光ピックアップ８０２より検出された信号から光ディスク９０５に適したフォーカス制御信号、トラッキング制御信号、球面収差検出信号が生成され、これらをもとに対物レンズ駆動制御回路９０６を経て光ピックアップ９０２内の（図示しない）対物レンズアクチュエータを駆動し、対物レンズ９０７の位置制御を行う。また、上記サーボ信号生成回路９０３では上記光ピックアップ９０２より球面収差検出信号が生成され、この信号をもとに球面収差補正駆動回路９０８を経て光ピックアップ９０２内の（図示しない）球面収差補正光学系の第１のレンズ、第２のレンズを駆動制御する。また、情報信号再生回路９０４では光ピックアップ９０２から検出された信号から光ディスク媒体９０５に記録された情報信号が再生され、その情報信号は情報信号出力端子９０９へ出力される。なお、サーボ信号生成回路９０３および、情報信号再生回路９０４で得られた信号の一部はシステム制御回路９１０に送られる。システム制御回路９１０からはレーザ駆動用信号が送られ、レーザ光源点灯回路９１１を駆動させて（図示しない）フロントモニタを用いて発光量の制御を行い、光ピックアップ９０２を介して、光ディスク媒体９０５に信号を記録する。なお、このシステム制御回路９１０にはアクセス制御回路９１２とスピンドルモータ駆動回路９１３が接続されており、それぞれ、光ピックアップ９０２のアクセス方向位置制御や光ディスク９０５のスピンドルモータ９１４の回転制御が行われる。なお、上記情報記録再生装置９０１をユーザが制御する場合、ユーザがユーザ入力装置９１７からユーザ入力処理回路９１５に指示することによって制御を行う。その際、情報記録再生装置の処理状態等の表示は表示処理回路９１６によって行われ、表示装置９１８にその処理状態が表示される。
【００３６】
なお、ここでは、記録と再生が可能な構成を示したが、再生のみの光学的情報再生装置として構成することもできる。
【符号の説明】
【００３７】
１０４  第１のレンズ
１０５  第２のレンズ
１０９  電気的手段
１１１  ＢＤ対物レンズ
１１２  ＢＤ多層ディスク
２０１  光スポット
２０２  ある目的層の情報記録面
２０３  別の目的層の情報記録面
２０４  別の目的層の情報記録面
２０５  別の目的層の情報記録面
２０６  別の目的層の情報記録面
３０２  第２のレンズ１０５から出射する発散光
３０３  第２のレンズ１０５から出射する収束光
４０１  第１のレンズ１０４から出射する発散光
４０２  第１のレンズ１０４から出射する収束光
【図１】
2010211842.tif 000003
【図２】
2010211842.tif 000004
【図３】
2010211842.tif 000005
【図４】
2010211842.tif 000006
【図５】
2010211842.tif 000007
【図６】
2010211842.tif 000008
【図７】
2010211842.tif 000009
【図８】
2010211842.tif 000010
【図９】
2010211842.tif 000011